(57)【要約】      （修正有）【課題】本考案は、壁に掛けることも、あるいはテーブル等の上に立てた状態で置くことも簡単にできる使い勝手のよい壁掛卓上兼用カレンダーを提供する。【解決手段】壁掛卓上兼用カレンダー１０のカレンダー紙取付体１２にはカレンダー紙２６が綴じた状態で配設されている。カレンダー紙取付体１２の背面板部２４には壁掛用片形成スリットが形成され、これにより壁掛用片３４が設けられている。背面板部２４の左側部には第１転倒防止脚形成スリット４０が形成され、これにより第１転倒防止脚５４が設けられている。また、背面板部２４の右側部には第２転倒防止脚形成スリット４４が形成され、これにより第２転倒防止脚５６が設けられている。第１転倒防止脚形成スリット４０と第２転倒防止脚形成スリット４４の間には転倒防止脚固定片形成スリット４８が形成され、これにより転倒防止脚固定片５２が設けられている。【選択図】図２
0003106677.tif 000002
【実用新案登録請求の範囲】
【請求項１】
月日や曜日等が印刷されたカレンダー紙が取り付けられるカレンダー紙取付体と、このカレンダー紙取付体の背面板部に壁掛用片形成スリットを形成することにより設けられた壁掛用片と、前記背面板部に形成された第１転倒防止脚形成スリットと、この第１転倒防止脚形成スリットの上端部と下端部を結ぶ線上に形成された第１転倒防止脚形成折線と、前記背面板部に形成された第２転倒防止脚形成スリットと、この第２転倒防止脚形成スリットの上端部と下端部を結ぶ線上に形成された第２転倒防止脚形成折線と、前記第１転倒防止脚形成スリットと第２転倒防止脚形成スリットの間に形成された転倒防止脚固定片形成スリットと、この転倒防止脚固定片形成スリットの左端部と右端部を結ぶ線上に形成された転倒防止脚固定片形成折線と、前記転倒防止脚固定片形成スリットと転倒防止脚固定片形成折線に囲まれて形成されると共に転倒防止脚固定片形成折線で折り曲げると立ち上がる転倒防止脚固定片と、前記背面板部に前記第１転倒防止脚形成スリットと第１転倒防止脚形成折線と転倒防止脚固定片形成スリットに囲まれて形成されると共に第１転倒防止脚形成折線で折り曲げると立ち上がる第１転倒防止脚と、前記背面板部に前記第２転倒防止脚形成スリットと第２転倒防止脚形成折線と転倒防止脚固定片形成スリットに囲まれて形成されると共に第２転倒防止脚形成折線で折り曲げると立ち上がる第２転倒防止脚と、、を有してなることを特徴とする壁掛卓上兼用カレンダー。
【請求項２】
正面板部、天面板部、背面板部から構成されたカレンダー紙取付体と、この正面板部と背面板部の間に重なり合って挟まれると共に月日や曜日等が印刷されたカレンダー紙と、前記背面板部に略Ｕ字状の壁掛用片形成スリットを形成することにより設けられた壁掛用片と、この壁掛用片に貫通形成された係止ピン孔と、前記背面板部の左側部に形成された第１転倒防止脚形成スリットと、この第１転倒防止脚形成スリットの上端部と下端部を結ぶ線上に形成された第１転倒防止脚形成折線と、前記背面板部の右側部に形成された第２転倒防止脚形成スリットと、この第２転倒防止脚形成スリットの上端部と下端部を結ぶ線上に形成された第２転倒防止脚形成折線と、前記第１転倒防止脚形成スリットと第２転倒防止脚形成スリットの間に左右方向に向って形成された転倒防止脚固定片形成スリットと、この転倒防止脚固定片形成スリットの左端部と右端部を結ぶ線上に形成された転倒防止脚固定片形成折線と、前記転倒防止脚固定片形成スリットと転倒防止脚固定片形成折線に囲まれて形成されると共に転倒防止脚固定片形成折線で折り曲げると立ち上がる転倒防止脚固定片と、前記背面板部の左側部に前記第１転倒防止脚形成スリットと第１転倒防止脚形成折線と転倒防止脚固定片形成スリットに囲まれて形成されると共に第１転倒防止脚形成折線で折り曲げると立ち上がる第１転倒防止脚と、前記背面板部の右側部に前記第２転倒防止脚形成スリットと第２転倒防止脚形成折線と転倒防止脚固定片形成スリットに囲まれて形成されると共に第２転倒防止脚形成折線で折り曲げると立ち上がる第２転倒防止脚と、を有してなることを特徴とする壁掛卓上兼用カレンダー。
【考案の詳細な説明】
【技術分野】
【０００１】
本考案は、壁に掛けて使用したり、あるいはテーブル等の上に置いて使用したりすることができる壁掛卓上兼用カレンダーに関する。
【背景技術】
【０００２】
一般的にカレンダーには壁に掛けて使用する壁掛用カレンダーとテーブル等の上に置いて使用する卓上用カレンダーがある。
前記壁掛用カレンダーは背面にピン挿入孔が設けられ、別途に用意した係止ピン等を前記ピン挿入孔に差し込むことにより壁に吊り下げている。
また、前記卓上用カレンダーは背面に転倒防止脚が設けられ、カレンダーをテーブル等の上に置いてもカレンダーが転倒しないようになっている。
しかし、従来の壁掛用カレンダーには転倒防止脚が設けられていないのでテーブル等の上に立てた状態で置くことができず、また、卓上用カレンダーにはピン挿入孔が設けられていないので壁に掛けることができないという不具合がある。
【考案の開示】
【考案が解決しようとする課題】
【０００３】
本考案は、上記事実に鑑みなされたものであり壁に掛けることも、あるいはテーブル等の上に立てた状態で置くことも簡単にできる使い勝手のよい壁掛卓上兼用カレンダーを提供するものである。
【課題を解決するための手段】
【０００４】
請求項１の考案は、月日や曜日等が印刷されたカレンダー紙が取り付けられるカレンダー紙取付体と、このカレンダー紙取付体の背面板部に壁掛用片形成スリットを形成することにより設けられた壁掛用片と、前記背面板部に形成された第１転倒防止脚形成スリットと、この第１転倒防止脚形成スリットの上端部と下端部を結ぶ線上に形成された第１転倒防止脚形成折線と、前記背面板部に形成された第２転倒防止脚形成スリットと、この第２転倒防止脚形成スリットの上端部と下端部を結ぶ線上に形成された第２転倒防止脚形成折線と、前記第１転倒防止脚形成スリットと第２転倒防止脚形成スリットの間に形成された転倒防止脚固定片形成スリットと、この転倒防止脚固定片形成スリットの左端部と右端部を結ぶ線上に形成された転倒防止脚固定片形成折線と、前記転倒防止脚固定片形成スリットと転倒防止脚固定片形成折線に囲まれて形成されると共に転倒防止脚固定片形成折線で折り曲げると立ち上がる転倒防止脚固定片と、前記背面板部に前記第１転倒防止脚形成スリットと第１転倒防止脚形成折線と転倒防止脚固定片形成スリットに囲まれて形成されると共に第１転倒防止脚形成折線で折り曲げると立ち上がる第１転倒防止脚と、前記背面板部に前記第２転倒防止脚形成スリットと第２転倒防止脚形成折線と転倒防止脚固定片形成スリットに囲まれて形成されると共に第２転倒防止脚形成折線で折り曲げると立ち上がる第２転倒防止脚と、を有してなることを特徴としている。
請求項２の考案は、正面板部、天面板部、背面板部から構成されたカレンダー紙取付体と、この正面板部と背面板部の間に重なり合って挟まれると共に月日や曜日等が印刷されたカレンダー紙と、前記背面板部に略Ｕ字状の壁掛用片形成スリットを形成することにより設けられた壁掛用片と、この壁掛用片に貫通形成された係止ピン孔と、前記背面板部の左側部に形成された第１転倒防止脚形成スリットと、この第１転倒防止脚形成スリットの上端部と下端部を結ぶ線上に形成された第１転倒防止脚形成折線と、前記背面板部の右側部に形成された第２転倒防止脚形成スリットと、この第２転倒防止脚形成スリットの上端部と下端部を結ぶ線上に形成された第２転倒防止脚形成折線と、前記第１転倒防止脚形成スリットと第２転倒防止脚形成スリットの間に左右方向に向って形成された転倒防止脚固定片形成スリットと、この転倒防止脚固定片形成スリットの左端部と右端部を結ぶ線上に形成された転倒防止脚固定片形成折線と、前記転倒防止脚固定片形成スリットと転倒防止脚固定片形成折線に囲まれて形成されると共に転倒防止脚固定片形成折線で折り曲げると立ち上がる転倒防止脚固定片と、前記背面板部の左側部に前記第１転倒防止脚形成スリットと第１転倒防止脚形成折線と転倒防止脚固定片形成スリットに囲まれて形成されると共に第１転倒防止脚形成折線で折り曲げると立ち上がる第１転倒防止脚と、前記背面板部の右側部に前記第２転倒防止脚形成スリットと第２転倒防止脚形成折線と転倒防止脚固定片形成スリットに囲まれて形成されると共に第２転倒防止脚形成折線で折り曲げると立ち上がる第２転倒防止脚と、を有してなることを特徴としている。
【考案の効果】
【０００５】
本考案の壁掛卓上兼用カレンダーは、壁に掛けることも、あるいはテーブル等の上に立てて置くこともできるので、使用する場所を選ばず使用勝手がよいという優れた効果を有する。
【考案を実施するための最良の形態】
【０００６】
考案を実施するために最良の形態の例として以下のような実施例を示す。
【実施例１】
【０００７】
図１〜図５には本考案に係る壁掛卓上兼用カレンダーの一実施例が示されている。
図４に示されるように、壁掛卓上兼用カレンダー１０のカレンダー紙取付体１２は矩形状の厚紙を第１折曲線１４と第２折曲線１６の２ヶ所で折り曲げることにより、正面板部２０と天面板部２２と背面板部２４を形成して構成されている。
前記正面板部２０と背面板部２４の間には薄い紙で形成された矩形状のカレンダー紙２６が３６５枚重なった状態で配設されている。これらカレンダー紙２６の正面には月日や曜日等が印刷されている。また、カレンダー紙２６は重なった状態で上部で綴ピン２８，２８によって前記カレンダー紙取付体１２に綴じられた状態で取り付けられている。
前記正面板部２０の上下寸法は背面板部２４の上下寸法に比べて小さく形成されており前記カレンダー紙２６の正面が露出するようになっている。正面板部２０の下端面２０Ａに対応する前記カレンダー紙２６の部分にはミシン目３０が横方向に向って形成されている。従って、前記カレンダー紙２６を捲ってカレンダー紙２６を少し強く引っ張るとミシン目３０が切れて簡単にカレンダー紙２６をカレンダー紙取付体１２から切り取ることができるようになっている。
図１に示されるように、前記背面板部２４の上部には略Ｕ字形状の壁掛用片形成スリット３２が形成され、壁掛用片形成スリット３２を形成することにより背面板部２４の上部に壁掛用片３４が形成されている。この壁掛用片３４には係止ピン孔３６が貫通形成されている。
前記背面板部２４の左側部には第１転倒防止脚形成スリット４０が形成されている。この第１転倒防止脚形成スリット４０の上端部４０Ａと下端部４０Ｂを結ぶ線上には第１転倒防止脚形成折線４２が形成されている。また、前記背面板部２４の右側部には前記第１転倒防止脚形成スリット４０と対称に第２転倒防止脚形成スリット４４が形成されている。この第２転倒防止脚形成スリット４４の上端部４４Ａと下端部４４Ｂを結ぶ線上には第２転倒防止脚形成折線４６が形成されている。
前記第１転倒防止脚形成スリット４０と第２転倒防止脚形成スリット４４の間には横方向に向って転倒防止脚固定片形成スリット４８が形成されている。この転倒防止脚固定片形成スリット４８の左端部４８Ａと右端部４８Ｂを結ぶ線上には転倒防止脚固定片形成折線５０が形成されている。この転倒防止脚固定片形成スリット４８と転倒防止脚固定片形成折線５０に囲まれて転倒防止脚固定片５２が形成されている。従って、この転倒防止脚固定片５２を転倒防止脚固定片形成折線５０で折り曲げると転倒防止脚固定片５２が立ち上がるようになっている。
また、前記背面板部２４の左側部には前記第１転倒防止脚形成スリット４０と第１転倒防止脚形成折線４２と転倒防止脚固定片形成スリット４８に囲まれて第１転倒防止脚５４が形成されている。従って、前記第１転倒防止脚５４を第１転倒防止脚形成折線４２で折り曲げると第１転倒防止脚５４が立ち上がるようになっている。
前記背面板部２４の右側部には前記第２転倒防止脚形成スリット４４と第２転倒防止脚形成折線４６と転倒防止脚固定片形成スリット４８に囲まれて第２転倒防止脚５６が形成されている。従って、前記第２転倒防止脚５６を第２転倒防止脚形成折線４６で折り曲げると第２転倒防止脚５６が立ち上がるようになっている。
前記転倒防止脚固定片５２には前記第１転倒防止脚５４が嵌め込まれて係止される第１係止凹部６０と前記第２転倒防止脚５６が嵌め込まれて係止される第２係止凹部６２が、それぞれ形成されている。
【０００８】
次に、前記壁掛卓上兼用カレンダー１０の作用について説明する。
この壁掛卓上兼用カレンダー１０を壁に掛けて使用する場合は、図２に示されるように前記背面板部２４の上部に形成された壁掛用片３４を第２折曲線１６で折り曲げて立ち上げる。そして、別途に用意した係止ピン（図示せず）を壁掛用片３４の係止ピン孔３６に挿入して係止ピンを壁等に刺し込むことにより、壁掛卓上兼用カレンダー１０を壁等に吊り下げることができる。
また、前記壁掛卓上兼用カレンダー１０をテーブル等の上に立てて使用する場合は、図３に示されるように前記背面板部２４に形成された転倒防止脚固定片５２を転倒防止脚固定片形成折線５０で折り曲げて転倒防止脚固定片５２を立ち上げる。
そして、前記背面板部２４の左側部に形成された前記第１転倒防止脚５４を第１転倒防止脚形成折線４２で折り曲げて第１転倒防止脚５４を立ち上げ、第１転倒防止脚５４を第１係止凹部６０に嵌めて係止する。
次に、背面板部２４の右側部に形成された前記第２転倒防止脚５６を第２転倒防止脚形成折線４６で折り曲げて第２転倒防止脚５６を立ち上げ、第２転倒防止脚５６を第２係止凹部６２に嵌めて係止する。
これにより、図３に示されるように前記壁掛卓上兼用カレンダー１０の背面に前記第１転倒防止脚５４と前記第２転倒防止脚５６が並んだ状態で突出するので、壁掛卓上兼用カレンダー１０をテーブル等の上においても転倒することがない。
この結果、壁掛卓上兼用カレンダー１０は壁に掛けることも、あるいはテーブル等の上に立てて置くこともできるので、使用する場所を選ばず使い勝手に優れている。
【０００９】
なお、図５に示されるように前記壁掛卓上兼用カレンダー１０を流通させる場合はポリエチレン樹脂製のカレンダー包装容器６４に収容して流通させれば、壁掛卓上兼用カレンダー１０が汚れたり折れたりすることを防止できる。
【００１０】
なお、実施例では壁掛卓上兼用カレンダー１０のカレンダー紙取付体１２を厚紙で形成したが、カレンダー紙取付体１２の素材は紙に限定されるものではなくプラスチックス等で形成してもよいことは勿論である。
【図面の簡単な説明】
【００１１】
【図１】実施例の壁掛卓上兼用カレンダーの背面図である。
【図２】実施例の壁掛卓上兼用カレンダーの壁掛用片を立ち上げた状態の全体斜視図である。
【図３】実施例の壁掛卓上兼用カレンダーの第１転倒防止脚及び第２転倒防止脚を立ち上げた状態の全体斜視図である。
【図４】実施例の壁掛卓上兼用カレンダーのカレンダー紙を捲っている状態の全体斜視図である。
【図５】実施例の壁掛卓上兼用カレンダーをポリエチレン樹脂製のカレンダー包装容器から取り出す状態の斜視図である。
【符号の説明】
【００１２】
１０    壁掛卓上兼用カレンダー
１２    カレンダー紙取付体
１４    第１折曲線
１６    第２折曲線
２０    正面板部
２２    天面板部
２４    背面板部
２６    カレンダー紙
２８    綴ピン
３０    ミシン目
３２    壁掛用片形成スリット
３４    壁掛用片
３６    係止ピン孔
４０    第１転倒防止脚形成スリット
４２    第１転倒防止脚形成折線
４４    第２転倒防止脚形成スリット
４６    第２転倒防止脚形成折線
４８    転倒防止脚固定片形成スリット
５０    転倒防止脚固定片形成折線
５２    転倒防止脚固定片
５４    第１転倒防止脚
５６    第２転倒防止脚
【図１】
0003106677.tif 000003
【図２】
0003106677.tif 000004
【図３】
0003106677.tif 000005
【図４】
0003106677.tif 000006
【図５】
0003106677.tif 000007